(57)【要約】【課題】ユーザーの操作の負担を軽減し、ユーザーの利便性を向上させた表示装置を提供することである。【解決手段】表示装置１３は、第一表示制御部１２１と、検知部１２２と、判断部１２３と、第二表示制御部１２４と、を備える。判断部１２３は、検知部１２２により第一のボタン画像２２の表示の拡大の要求を検知されれば、拡大率が所定の値以上であるか否かを判断する。第二表示制御部１２４は、判断部１２３により所定の値以上であると判断されれば、拡大率に拡大された第一の領域２５よりも内方側に位置し、第二の線２９によって囲われた第二の領域３０であって、第二の領域３０内のタッチを検知することにより、設定入力画面２６における所定の設定の入力を受け付ける第二のボタン画像２８、および第一の領域２５内に所定の設定の内容を示す第二の文字画像２７を表示部に表示するよう制御する。【選択図】図４
2018185643.tif 000002
【特許請求の範囲】
【請求項１】
タッチパネル機能を有する表示部と、
第一の線によって囲われた第一の領域であって前記第一の領域内のタッチを検知することにより所定の設定を入力させる設定入力画面へ移行する第一のボタン画像、および第一の領域内に配置され、前記第一のボタン画像の内容を示す第一の文字画像を前記表示部に表示するよう制御する第一表示制御部と、
前記表示部への操作により、前記第一のボタン画像の表示の拡大の要求を検知する検知部と、
前記検知部により前記第一のボタン画像の表示の拡大の要求を検知されれば、拡大率が所定の値以上であるか否かを判断する判断部と、
前記判断部により所定の値以上であると判断されれば、前記拡大率に拡大された前記第一の領域よりも内方側に位置し、第二の線によって囲われた第二の領域であって、前記第二の領域内のタッチを検知することにより、前記設定入力画面における前記所定の設定の入力を受け付ける第二のボタン画像、および前記第一の領域内に前記所定の設定の内容を示す第二の文字画像を前記表示部に表示するよう制御する第二表示制御部と、を備える、表示装置。
【請求項２】
前記第二表示制御部は、前記第一のボタン画像の前記表示の拡大率に応じて、前記第二のボタン画像および前記第二の文字画像の表示濃度を制御する、請求項１に記載の表示装置。
【請求項３】
前記第二表示制御部は、前記第一のボタン画像の表示の拡大の要求を検知している間であって、前記第一のボタン画像の前記表示の拡大率が所定の値以上である場合には、前記第二のボタン画像および前記第二の文字画像の表示濃度を、前記第一の文字画像の表示濃度に比べて薄くして、前記第一の文字画像、前記第二のボタン画像および前記第二の文字画像を表示する、請求項１または請求項２に記載の表示装置。
【請求項４】
前記検知部は、ピンチアウト操作を検知することによって前記第一のボタン画像の表示の拡大の要求を検知する、請求項１〜請求項３のいずれか１項に記載の表示装置。
【請求項５】
情報を表示する表示装置と、前記情報に基づいて画像を形成する画像形成部と、を含む、画像形成装置であって、
前記表示装置は、
タッチパネル機能を有する表示部と、
第一の線によって囲われた第一の領域であって前記第一の領域内のタッチを検知することにより所定の設定を入力させる設定入力画面へ移行する第一のボタン画像、および第一の領域内に配置され、前記第一のボタン画像の内容を示す文字画像を前記表示部に表示するよう制御する第一表示制御部と、
前記表示部への操作により、前記第一のボタン画像の表示の拡大の要求を検知する検知部と、
前記検知部により前記第一のボタン画像の表示の拡大の要求を検知されれば、拡大率が所定の値以上であるか否かを判断する判断部と、
前記判断部により所定の値以上であると判断されれば、前記拡大率に拡大された前記第一の領域よりも内方側に位置し、第二の線によって囲われた第二の領域であって、前記第二の領域内のタッチを検知することにより、前記設定入力画面における前記所定の設定の入力を受け付ける第二のボタン画像、および前記第一の領域内に前記所定の設定の内容を示す第二の文字画像を前記表示部に表示するよう制御する第二表示制御部と、を備える、画像形成装置。
【発明の詳細な説明】
【技術分野】
【０００１】
この発明は、表示装置、および画像形成装置に関するものである。
【背景技術】
【０００２】
表示装置においては、所定の設定を入力させる設定入力画面へ移行するボタン画像と、所定の設定の簡易な内容を示す文字画像とが表示画面に表示される（例えば、特許文献１）。
【０００３】
特許文献１に開示の画像形成装置は、表示制御部と、入力制御部と、通知部とを備える。表示制御部は、複数の機能にそれぞれ対応する複数のボタンであって所定方向に仮想的に配列された複数のボタンのうち表示対象範囲内の一部のボタンを表示対象ボタンとして表示部に表示する。入力制御部は、表示対象範囲を所定方向に仮想的に移動して表示対象ボタンを変更するスクロール指示入力を受け付ける。通知部は、指示入力部の存在をユーザーに報知する報知動作を制御する。
【先行技術文献】
【特許文献】
【０００４】
【特許文献１】特開２０１２−１２８７３５号公報
【発明の概要】
【発明が解決しようとする課題】
【０００５】
上記の表示装置において、通常表示では１つの表示画面に複数のボタン画像と、複数の文字画像とが表示される。このような通常表示では、複数のボタン画像および文字画像が１つの表示画面に表示しなければならないため、各画像の表示内容が小さくなってしまう。このため、ユーザーは表示内容を把握し難くなってしまう。また、ユーザーが表示内容を把握し易くするために、１つの表示画面に表示するボタン画像および文字画像の数を少なくし、複数の画面から構成される簡易表示により表示される。このような簡易表示では、１つの表示画面に表示されるボタン画像および文字画像が少ないために、画面の切り替えを複数回行う場合がある。このような場合、ユーザーの操作が煩雑となり、好ましくない。
【０００６】
この発明の目的は、ユーザーの操作の負担を軽減し、ユーザーの利便性を向上させた表示装置を提供することである。
【課題を解決するための手段】
【０００７】
この発明の一の局面において、表示装置は、表示部と、第一表示制御部と、検知部と、判断部と、第二表示制御部と、を備える。表示部は、タッチパネル機能を有する。第一表示制御部は、第一の線によって囲われた第一の領域であって第一の領域内のタッチを検知することにより所定の設定を入力させる設定入力画面へ移行する第一のボタン画像、および第一の領域内に配置され、第一のボタン画像の内容を示す第一の文字画像を表示部に表示するよう制御する。検知部は、表示部への操作により、第一のボタン画像の表示の拡大の要求を検知する。判断部は、検知部により第一のボタン画像の表示の拡大の要求を検知されれば、拡大率が所定の値以上であるか否かを判断する。第二表示制御部は、判断部により所定の値以上であると判断されれば、拡大率に拡大された第一の領域よりも内方側に位置し、第二の線によって囲われた第二の領域であって、第二の領域内のタッチを検知することにより、設定入力画面における所定の設定の入力を受け付ける第二のボタン画像、および第一の領域内に所定の設定の内容を示す第二の文字画像を表示部に表示するよう制御する。
【０００８】
この発明の他の局面において、画像形成装置は、情報を表示する表示装置と、情報に基づいて画像を形成する画像形成部と、を含む。表示装置は、表示部と、第一表示制御部と、検知部と、判断部と、第二表示制御部と、を備える。表示部は、タッチパネル機能を有する。第一表示制御部は、第一の線によって囲われた第一の領域であって第一の領域内のタッチを検知することにより所定の設定を入力させる設定入力画面へ移行する第一のボタン画像、および第一の領域内に配置され、第一のボタン画像の内容を示す第一の文字画像を表示部に表示するよう制御する。検知部は、表示部への操作により、第一のボタン画像の表示の拡大の要求を検知する。判断部は、検知部により第一のボタン画像の表示の拡大の要求を検知されれば、拡大率が所定の値以上であるか否かを判断する。第二表示制御部は、判断部により所定の値以上であると判断されれば、拡大率に拡大された第一の領域よりも内方側に位置し、第二の線によって囲われた第二の領域であって、第二の領域内のタッチを検知することにより、設定入力画面における所定の設定の入力を受け付ける第二のボタン画像、および第一の領域内に所定の設定の内容を示す第二の文字画像を表示部に表示するよう制御する。
【発明の効果】
【０００９】
このような表示装置によれば、所定の設定を入力させる設定入力画面に移行せずに、ユーザーは、同じ画面の中で所定の設定の内容を確認して、所定の設定の入力を行うことができる。また、ユーザーは、第一のボタン画像の表示を拡大させて、所定の設定の内容を確認することができるため、所定の設定の内容を把握し易くなる。従って、ユーザーの操作の負担を軽減し、ユーザーの利便性を向上させることができる。
【００１０】
また、このような画像形成装置によれば、ユーザーの操作の負担を軽減し、ユーザーの利便性を向上させることができる。
【図面の簡単な説明】
【００１１】
【図１】この発明の一実施形態に係る画像形成装置を複合機に適用した場合の複合機の外観を示す概略図である。
【図２】図１に示す複合機の構成を示すブロック図である。
【図３】制御部の構成を示すブロック図である。
【図４】第二のボタン画像および第二の文字画像を表示する場合の処理の流れを示すフローチャートである。
【図５】表示画面に第一のボタン画像および第一の文字画像を表示した状態を示す模式図である。
【図６】再起動の設定入力画面を示す模式図である。
【図７】第一のボタン画像の表示が拡大された状態を示す模式図である。
【図８】第一の領域内に第二のボタン画像および第二の文字画像が表示される状態を示す模式図である。
【図９】第一の領域内に第一の文字画像、第二の文字画像および第二のボタン画像が表示される状態を示す模式図である。
【発明を実施するための形態】
【００１２】
以下、この発明の実施の形態を説明する。図１は、この発明の一実施形態に係る画像形成装置を複合機に適合した場合の複合機１１の外観を示す概略図である。図２は、図１に示す複合機１１の構成を示すブロック図である。
【００１３】
図１および図２において、複合機１１は、制御部１２と、表示装置１３と、画像読み取り部１４と、画像形成部１５と、給紙カセット１８と、用紙搬送部２０と、ハードディスク３２と、を備える。
【００１４】
制御部１２は、複合機１１全体の制御を行う。制御部１２は、ＣＰＵ等から構成されており、一時的にデータを記憶する記憶部としての主記憶メモリ３１を含む。表示装置１３は、表示部としての表示画面２１を含む。表示画面２１は、情報を表示する。表示画面２１は、液晶のタッチパネル機能を有しており、ユーザーの指での押圧等により、表示画面２１からも画像形成条件等を入力させると共に、機能の選択等を行うことができる。画像読み取り部１４は、載置台１９上にセットされた原稿を読み取ることによって原稿の画像を取得する。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）３３を含む。
【００１５】
用紙搬送部２０は、複数の搬送ローラーを含み、手差しトレイ１７や給紙カセット１８にセットされた用紙を画像形成部１５へ搬送する。画像形成部１５は、画像読み取り部１４により取得された原稿の画像を基に、手差しトレイ１７や給紙カセット１８から搬送されてきた用紙に画像を形成する。記憶部としてのハードディスク３２は、送信された画像データや入力された画像形成条件等、画像形成に関するデータを記憶する。
【００１６】
次に、複合機１１に備えられる制御部１２の構成について説明する。図３は、制御部１２の構成を示すブロック図である。図３を参照して、制御部１２は、第一表示制御部１２１と、検知部１２２と、判断部１２３と、第二表示制御部１２４を、を備える。
【００１７】
第一表示制御部１２１は、第一の線によって囲われた第一の領域であって第一の領域内のタッチを検知することにより所定の設定を入力させる設定入力画面へ移行する第一のボタン画像、および第一の領域内に配置され、第一のボタン画像の内容を示す第一の文字画像を表示画面２１に表示するよう制御する。検知部１２２は、表示画面２１への操作により、第一のボタン画像の表示の拡大の要求を検知する。判断部１２３は、検知部１２２により第一のボタン画像の表示の拡大の要求を検知されれば、拡大率が所定の値以上であるか否かを判断する。なお、拡大率とは、拡大する前の第一のボタン画像のサイズに対する拡大した後の第一のボタン画像のサイズの割合をいう。拡大する前の第一のボタン画像のサイズは、適宜設定される。所定の値とは、例えば、１２０％である。第二表示制御部１２４は、判断部１２３により所定の値以上であると判断されれば、拡大率に拡大された第一の領域よりも内方側に位置し、第二の線によって囲われた第二の領域であって、第二の領域内のタッチを検知することにより、設定入力画面における所定の設定の入力を受け付ける第二のボタン画像、および第一の領域内に所定の設定の内容を示す第二の文字画像を表示画面２１に表示するよう制御する。これらの構成については、後に詳述する。
【００１８】
次に、第一のボタン画像の表示を拡大して拡大率が所定の値を超えた際に、第二のボタン画像および第二の文字画像を表示する場合について説明する。図４は、第一のボタン画像の表示を拡大して拡大率が所定の値を超えた際に、第二のボタン画像および第二の文字画像を表示する場合の処理の流れを示すフローチャートである。
【００１９】
図４を参照して、まず、第一表示制御部１２１により表示画面２１に第一のボタン画像および第一の文字画像が表示される（図４において、ステップＳ１１、以下、「ステップ」を省略する）。
【００２０】
図５は、表示画面２１に第一のボタン画像および第一の文字画像を表示した状態を示す模式図である。図５を参照して、第一のボタン画像２２は、矩形状の第一の線２４によって囲われた第一の領域２５から構成される。第一のボタン画像２２は、第一の領域２５内に第一のボタン画像２２の内容を示す第一の文字画像４１を含む。第一のボタン画像２２は、ボタン画像２２ａ、２２ｂ、２２ｃ、２２ｄ、２２ｅ、２２ｆを含む。ボタン画像２２ａは、文字画像４１ａを含む。ボタン画像２２ｂは、文字画像４１ｂを含む。ボタン画像２２ｃは、文字画像４１ｃを含む。ボタン画像２２ｄは、文字画像４１ｄを含む。ボタン画像２２ｅは、文字画像４１ｅを含む。ボタン画像２２ｆは、文字画像４１ｆを含む。第一のボタン画像２２は、第一の領域２５においてユーザーのタッチを検知するように構成される。第一のボタン画像２２は、第一の領域２５内のユーザーによるタッチを検知することで、所定の設定を入力させる設定入力画面へ移行するように構成される。ボタン画像２２ａ〜２２ｆそれぞれの設定入力画面に移行する。第一の内容表示画像２３は、第一のボタン画像２２の周囲に配置される。第一の内容表示画像２３は、所定の設定の内容を示す。図５においては、第一の内容表示画像２３は、第一のボタン画像２２の左側の領域に配置される。第一の内容表示画像２３は、文字画像２３ａ、２３ｂ、２３ｃ、２３ｄ、２３ｅ、２３ｆを含む。
【００２１】
所定の設定の内容とは、例えば、システム設定においては、セキュリティレベルの設定、インターフェースの設定、ハードディスクの設定、パスワードの設定、ファンクションの設定、再起動の設定などである。文字画像２３ａ「セキュリティレベル」の設定の変更を受け付けるボタン画像２２ａ、文字画像２３ｂ「インターフェース」の設定の変更を受け付けるボタン画像２２ｂ、文字画像２３ｃ「ハードディスク」の設定の変更を受け付けるボタン画像２２ｃ、文字画像２３ｄ「パスワード」の設定の変更を受け付けるボタン画像２２ｄ、文字画像２３ｅ「ファンクション」の設定の変更を受け付けるボタン画像２２ｅ、文字画像２３ｆ「再起動」の設定を受け付けるボタン画像２２ｆから構成される。
【００２２】
図６は、再起動の設定入力画面を示す模式図である。例えば、文字画像２３ｆの「再起動」の内容のボタン画像２２ｆの第一の領域２５内をユーザーによってタッチされると、次画面において、図６に示す設定入力画面２６が表示される。設定入力画面２６は、所定の設定の内容を示す第二の文字画像２７と、所定の設定の入力を受け付ける第二のボタン画像２８とを含む。第二の文字画像２７によって示される所定の設定の内容は、第一の内容表示画像２３によって示される所定の設定の内容よりも詳細な内容である。図６を参照して、第二の文字画像２７は、「システムの再起動を行います」という内容の文字画像２７ａを含む。また、第二のボタン画像２８は、「はい」の入力を受け付けるボタン画像２８ａと、「いいえ」の入力を受け付けるボタン画像２８ｂとを含む。ボタン画像２８ａおよび２８ｂは、矩形状の第二の線２９によって囲まれた第二の領域３０から構成される。ボタン画像２８ａおよび２８ｂは、第二の領域３０内のユーザーによるタッチを検知することにより、「再起動」の入力を受け付ける。
【００２３】
次に、検知部１２２により、表示画面２１の操作により、第一のボタン画像２２の表示を拡大させる要求が検知される（Ｓ１２）。ここで、第一のボタン画像２２の表示が拡大される操作とは、例えば、ピンチアウト操作である。図７は、第一のボタン画像２２の表示が拡大された状態を示す模式図である。なお、図７は第一のボタン画像２２の表示の拡大率が所定の値未満となっている。図５および図７を参照して、例えば、文字画像２３ｆの「再起動」の内容のボタン画像２２ｆをピンチアウト操作によって、ボタン画像２２ｆの表示が拡大して表示される。また、ボタン画像２２ｆの第一の領域２５内に表示される「スタート」の文字画像４１ｆの表示も拡大して表示される。
【００２４】
次に、判断部１２３により、第一のボタン画像２２の表示の拡大率が所定の値以上か否かが判断される（Ｓ１３）。所定の値とは、例えば、１２０％である。第一のボタン画像２２の拡大率が所定の値以上と判断されれば（Ｓ１３においてＹＥＳ）、拡大して表示される第一の領域２５内に第二のボタン画像２８および第二の文字画像２７が表示される（Ｓ１４）。
【００２５】
図８は、第一の領域２５内に第二のボタン画像２８および第二の文字画像２７が表示される状態を示す模式図である。図８では、第一のボタン画像２２の表示の拡大率が所定の値以上となっている。図８を参照して、ボタン画像２２ｆの第一の領域２５内に「再起動」の設定入力画面２６における第二の文字画像２７である文字画像２７ａ、および第二のボタン画像２８であるボタン画像２８ａ、２８ｂが表示される。文字画像２７ａ、およびボタン画像２８ａ、２８ｂは、第一の領域２５よりも内方側に位置する。ボタン画像２８ａおよび２８ｂは、第二の領域３０内のユーザーによるタッチを検知することにより、「再起動」の入力を受け付ける。
【００２６】
ここで、このような複合機１１によれば、所定の設定を入力させる設定入力画面２６に移行せずに、ユーザーは、同じ画面の中で所定の設定の内容を確認して、所定の設定の入力を行うことができる。また、ユーザーは、第一のボタン画像２２の表示を拡大させて、所定の設定の内容を確認することができるため、所定の設定の内容を把握し易くなる。従って、ユーザーの操作の負担を軽減し、ユーザーの利便性を向上させることができる。
【００２７】
なお、Ｓ１３において、第一のボタン画像２２の表示の拡大率が所定の値よりも小さければ（Ｓ１３においてＮＯ）、第一のボタン画像２２のみが表示される。図７を参照して、ボタン画像２２ｆの表示の拡大率が所定の値よりも小さければ、ボタン画像２２ｆのみが表示されることとなる。このような場合でも、第一のボタン画像２２の第一の領域２５内をユーザーによってタッチされると、次画面において、設定入力画面２６が表示される。図６および図７を参照して、「再起動」のボタン画像２２ｆの第一の領域２５内をユーザーによってタッチされると、図６に示す「再起動」の設定入力画面２６が表示される。
【００２８】
なお、Ｓ１４において、第一のボタン画像２２の表示の拡大率に応じて、第二の文字画像２７および第二のボタン画像２８の表示濃度を制御するようにしてもよい。例えば、第一のボタン画像２２の表示を拡大させる要求を検知している間であって、第一のボタン画像２２の表示の拡大率が所定の値以上である場合には、第二の文字画像２７および第二のボタン画像２８の表示濃度を第一の文字画像４１の表示濃度に比べて薄く表示して、第一の文字画像４１、第二の文字画像２７および第二のボタン画像２８を表示するようにしてもよい。なお、第一のボタン画像２２の表示を拡大させる要求を検知している間とは、例えば、ユーザーにより、第一のボタン画像２２の表示を拡大させる操作が行われている間である。
【００２９】
図９は、第一の領域２５内に第二の文字画像２７および第二のボタン画像２８が表示される状態を示す模式図である。図９を参照して、第一の領域２５内に第一の文字画像４１、第二の文字画像２７および第二のボタン画像２８が表示される状態を示す模式図である。図９を参照して、「再起動」のボタン画像２２ｆの内容を示す「スタート」の文字画像４１ｆ、「再起動」の内容を示す文字画像２７ａ、および「再起動」の入力を受け付けるボタン画像２８ａ、２８ｂが併せて表示される。なお、第一のボタン画像２２の表示を拡大する操作が終了すれば、第二のボタン画像２８および第二の文字画像２７の表示濃度を濃くして、第一の文字画像４１の表示を削除し、第二のボタン画像２８および第二の文字画像２７のみを表示するようにしてもよい。図９を参照して、「再起動」の内容を示す文字画像２７ａ、および「再起動」の入力を受け付けるボタン画像２８ａ、２８ｂの表示濃度を濃くして、「スタート」の文字画像４１ｆの表示が削除される。その結果、文字画像２７ａおよびボタン画像２８ａ、２８ｂのみが表示される。
【００３０】
なお、複合機１１の制御部１２で制御することとしたが、これに限らず、表示装置１３は、制御部を備え、これにより制御するようにしてもよい。
【００３１】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３２】
この発明に係る表示装置は、ユーザーの操作の負担を軽減し、ユーザーの利便性を向上させることが要求される場合に、特に有効に利用される。
【符号の説明】
【００３３】
１１  複合機、１２  制御部、１２１  第一表示制御部、１２２  検知部、１２３  判断部、１２４  第二表示制御部、１３  表示装置、１４  画像読み取り部、１５  画像形成部、１７  手差しトレイ、１８  給紙カセット、１９  載置台、２０  用紙搬送部、２１  表示画面、２２  第一のボタン画像、２２ａ，２２ｂ，２２ｃ，２２ｄ，２２ｅ，２２ｆ  ボタン画像、２３  第一の内容表示画像、２３ａ，２３ｂ，２３ｃ，２３ｄ，２３ｅ，２３ｆ  文字画像、２４  第一の線、２５  第一の領域、２６  設定入力画面、２７  第二の文字画像、２７ａ  文字画像、２８  第二のボタン画像、２８ａ，２８ｂ  ボタン画像、２９  第二の線、３０  第二の領域、３１  主記憶メモリ、３２  ハードディスク、３３  ＡＤＦ、４１  第一の文字画像、４１ａ，４１ｂ，４１ｃ，４１ｄ，４１ｅ，４１ｆ  文字画像。
【図１】
2018185643.tif 000003
【図２】
2018185643.tif 000004
【図３】
2018185643.tif 000005
【図４】
2018185643.tif 000006
【図５】
2018185643.tif 000007
【図６】
2018185643.tif 000008
【図７】
2018185643.tif 000009
【図８】
2018185643.tif 000010
【図９】
2018185643.tif 000011